(57)【要約】【課題】中高筒状の物品収納空間の両端部を強固に閉塞した上で、吊り下げ易い大きな吊り下げ部を形成できる包装容器を提供することである。【解決手段】シート１を２つ折りにした各シート片１ａ、１ｂを外側へ凸に湾曲させ、その湾曲させた先端側の辺縁部同士を結合して、両シート片１ａ、１ｂの間に中高筒状の物品収納空間Ａを形成し、各シート片１ａ、１ｂの下側端の辺縁部に設けた折り曲げ部４ａ、４ｂと上側端の辺縁部に設けた折り曲げ部５ａ、５ｂを互いに内方へ折り曲げて重ね合わせ、物品収納空間Ａの上下両端部を強固に閉塞するとともに、シート片１ａの上側端の折り曲げ部５ａを、上方に延長した延長部６の中に折り目線２と切込み線７で区画したものとし、その先で連なる延長部６に吊り下げ易い吊り下げ用の孔８を形成できるようにした。【選択図】図２
2006193201.tif 000002
【特許請求の範囲】
【請求項１】
１枚のシートを２つ折りにした各シート片を外側へ凸に湾曲または屈曲させ、これらの各シート片の湾曲または屈曲させた先端側の辺縁部同士を結合して、両シート片の間に中高筒状の物品収納空間を形成し、前記各シート片の両側端の辺縁部を互いに内方へ折り曲げて重ね合わせ、これらの折り曲げて重ね合わせた折り曲げ部で前記筒状の物品収納空間の両端部を閉塞した包装容器において、前記各シート片の両側端の少なくとも一方で、前記互いに内方へ折り曲げる折り曲げ部の少なくとも一方を、前記側端の辺縁部の中央部分を折り曲げたものとし、この中央部分を折り曲げた折り曲げ部の両側の辺縁部を延長して、この延長部に吊り下げ部を形成したことを特徴とする包装容器。
【請求項２】
前記互いに内方へ折り曲げる一方の折り曲げ部の先端に舌状片を設け、他方の折り曲げ部の基部に切込み部を設けて、前記舌状片が設けられた折り曲げ部を前記他方の折り曲げ部の外側に重ね合わせ、前記切込み部に舌状片を外側から差し込んで係止した請求項１に記載の包装容器。
【請求項３】
前記舌状片を設けた折り曲げ部の折り曲げ線を切り取り線とし、この折り曲げ部を切り取り線で切り取って、前記物品収納空間を開口するようにした請求項２に記載の包装容器。
【請求項４】
前記舌状片の基部に折り曲げ線を入れ、この折り曲げ線を切り取り線とした請求項３に記載の包装容器。
【発明の詳細な説明】
【技術分野】
【０００１】
本発明は、１枚のシートを２つ折りにした各シート片の間に中高筒状の物品収納空間を形成した包装容器に関する。
【背景技術】
【０００２】
１枚のシートを２つ折りにした各シート片を外側へ凸に湾曲または屈曲させ、これらの各シート片の湾曲または屈曲させた先端側の辺縁部同士を結合して、両シート片の間に中高筒状の物品収納空間を形成した中高筒状の包装容器には、各シート片の両側端の辺縁部を互いに内方へ折り曲げて重ね合わせ、これらの折り曲げて重ね合わせた折り曲げ部で筒状の物品収納空間の両端部を閉塞したものがある（例えば、特許文献１参照）。特許文献１に記載されたものは、外側に重ね合わされる折り曲げ部の先端に設けた舌状片を、内側に重ね合わされる折り曲げ部の基部に設けた切込み部に係止している。
【０００３】
また、この種の中高筒状の包装容器には、２つ折りにした各シート片の下側の側端では、各シート片の辺縁部を互いに内方へ折り曲げて重ね合わせ、上側の側端では一方のシート片の辺縁部のみを内方へ折り曲げて、他方のシート片の辺縁部はそのまま延長し、その延長部に吊り下げ部を形成したものもある（例えば、特許文献２参照）。特許文献２に記載されたものは、吊り下げ部を形成した側端では、折り曲げ側の先端に設けた舌状片を、延長側の基部に設けた切込み部に係止している。
【０００４】
さらに、この種の中高筒状の包装容器には、下側の側端の形態は少し異なるが、上側の側端で互いに内方へ折り曲げて重ね合わされる一方の折り曲げ部の中に、折り曲げられずに残される吊り下げ片を切り込んだものもある（例えば、特許文献３参照）。
【０００５】
【特許文献１】実開平５−８６８１０号公報
【特許文献２】実開昭６０−１７９６１１号公報
【特許文献３】実開昭６２−６９４１２号公報
【発明の開示】
【発明が解決しようとする課題】
【０００６】
特許文献１に記載された包装容器は、筒状の物品収納空間の両端部を重ね合わせた２枚の折り曲げ部で強固に閉塞できるが、陳列用等の吊り下げ部を形成できない問題がある。
【０００７】
一方、特許文献２に記載された包装容器は、吊り下げ易い大きな吊り下げ部を形成できるが、吊り下げ部を形成した上側の側端で、物品収納空間の端部が１枚の折り曲げ部でしか閉塞されないので、収納された物品が抜け落ち易い問題がある。
【０００８】
また、特許文献３に記載された包装容器は、吊り下げ片を設けた側の物品収納空間の端部を２枚重ねの折り曲げ部で強固に閉塞できるが、一方の折り曲げ部の中に切り込んだ吊り下げ片が小さなものに限定されるので、吊り下げ難い問題がある。
【０００９】
そこで、本発明の課題は、中高筒状の物品収納空間の両端部を強固に閉塞した上で、吊り下げ易い大きな吊り下げ部を形成できる包装容器を提供することである。
【課題を解決するための手段】
【００１０】
上記の課題を解決するために、本発明は、１枚のシートを２つ折りにした各シート片を外側へ凸に湾曲または屈曲させ、これらの各シート片の湾曲または屈曲させた先端側の辺縁部同士を結合して、両シート片の間に中高筒状の物品収納空間を形成し、前記各シート片の両側端の辺縁部を互いに内方へ折り曲げて重ね合わせ、これらの折り曲げて重ね合わせた折り曲げ部で前記筒状の物品収納空間の両端部を閉塞した包装容器において、前記各シート片の両側端の少なくとも一方で、前記互いに内方へ折り曲げる折り曲げ部の少なくとも一方を、前記側端の辺縁部の中央部分を折り曲げたものとし、この中央部分を折り曲げた折り曲げ部の両側の辺縁部を延長して、この延長部に吊り下げ部を形成した構成を採用した。
【００１１】
すなわち、各シート片の両側端の少なくとも一方で、互いに内方へ折り曲げる折り曲げ部の少なくとも一方を、側端の辺縁部の中央部分を折り曲げたものとし、この中央部分を折り曲げた折り曲げ部の両側の辺縁部を延長して、この延長部に吊り下げ部を形成することにより、中高筒状の物品収納空間の両端部を強固に閉塞した上で、吊り下げ易い大きな吊り下げ部を形成できるようにした。
【００１２】
前記互いに内方へ折り曲げる一方の折り曲げ部の先端に舌状片を設け、他方の折り曲げ部の基部に切込み部を設けて、前記舌状片が設けられた折り曲げ部を前記他方の折り曲げ部の外側に重ね合わせ、前記切込み部に舌状片を外側から差し込んで係止することにより、物品収納空間の両端部をより強固に閉塞することができる。
【００１３】
前記舌状片を設けた折り曲げ部の折り曲げ線を切り取り線とし、この折り曲げ部を切り取り線で切り取って、前記物品収納空間を開口することにより、収納した物品を容易に取り出すことができる。
【００１４】
前記舌状片の基部に折り曲げ線を入れ、この折り曲げ線を切り取り線とすることにより、切込み部に差し込まれた舌状片を切り離して、物品収納空間をより容易に開口することができる。
【発明の効果】
【００１５】
本発明の包装容器は、各シート片の両側端の少なくとも一方で、互いに内方へ折り曲げる折り曲げ部の少なくとも一方を、側端の辺縁部の中央部分を折り曲げたものとし、この中央部分を折り曲げた折り曲げ部の両側の辺縁部を延長して、この延長部に吊り下げ部を形成したので、中高筒状の物品収納空間の両端部を強固に閉塞した上で、吊り下げ易い大きな吊り下げ部を形成することができる。
【００１６】
前記互いに内方へ折り曲げる一方の折り曲げ部の先端に舌状片を設け、他方の折り曲げ部の基部に切込み部を設けて、舌状片が設けられた折り曲げ部を他方の折り曲げ部の外側に重ね合わせ、切込み部に舌状片を外側から差し込んで係止することにより、物品収納空間の両端部をより強固に閉塞することができる。
【００１７】
前記舌状片を設けた折り曲げ部の折り曲げ線を切り取り線とし、この折り曲げ部を切り取り線で切り取って、物品収納空間を開口することにより、収納した物品を容易に取り出すことができる。
【００１８】
前記舌状片の基部に折り曲げ線を入れ、この折り曲げ線を切り取り線とすることにより、切込み部に差し込まれた舌状片を切り離して、物品収納空間をより容易に開口することができる。
【発明を実施するための最良の形態】
【００１９】
以下、図面に基づき、本発明の実施形態を説明する。図１乃至図６は、第１の実施形態を示す。図１は、包装容器に組み立てられる透明なプラスチック製のシート１を示す。このシート１は、２つ折り用の折り目線２でシート片１ａ、１ｂに区画され、シート片１ｂの２つ折り先端側の辺縁には、シート片１ａの先端側の辺縁に結合するための結合代３が折り目線２で区画されている。
【００２０】
前記各シート片１ａ、１ｂの下側端の辺縁には、それぞれ紡錘形の折り曲げ部４ａ、４ｂが折り目線２で区画され、シート片１ｂの上側端の辺縁にも、紡錘形の折り曲げ部５ｂが折り目線２で区画されている。また、シート片１ａの上側端の辺縁には上方に延長した延長部６が設けられ、この延長部６に、折り目線２と切込み線７で区画され、紡錘形の両端部を除いた形の折り曲げ部５ａが設けられるとともに、折り曲げ部５ａの先で連なる延長部６に吊り下げ用の孔８が設けられている。
【００２１】
前記シート片１ｂの各折り曲げ部４ｂ、５ｂの先端には、それぞれ舌状片９ａ、９ｂが設けられ、シート片１ａの各折り曲げ部４ａ、５ａの基部には、それぞれ切込み部１０ａ、１０ｂが設けられている。各舌状片９ａ、９ｂの基部には折り目線２が入れられ、その両端部に切込み線７が入れられて、各舌状片９ａ、９ｂの基部にくびれが形成されている。また、折り曲げ部４ａの基部の切込み部１０ａは、基部の折り目線２の延長線上でくびれた瓢箪形の孔とされ、折り曲げ部５ａの基部の切込み部１０ｂは、基部の折り目線２の延長線からやや上方にずれた線状のものとされている。
【００２２】
図２は、上述したシート１で組み立てた包装容器を示す。図３（ａ）、（ｂ）は、それぞれこの包装容器の正面図と背面図、図４（ａ）、（ｂ）は、それぞれ左右からの側面図、図５（ａ）、（ｂ）は、それぞれ平面図と底面図である。前記折り目線２で２つ折りにされた各シート片１ａ、１ｂは、外側へ凸に湾曲するようにして、シート片１ｂの先端側辺縁の結合代３が、シート片１ａの先端側辺縁に重ね合わされ、両者が接着テープ（図示省略）で結合されて、湾曲した両シート片１ａ、１ｂの間に紡錘形断面で中高筒状の物品収納空間Ａが形成されている。
【００２３】
図６に拡大して示すように、前記各シート片１ａ、１ｂの下側端辺縁の折り曲げ部４ａ、４ｂは、舌状片９ａを設けた折り曲げ部４ｂを外側に重ねるように互いに内方へ折り曲げられ、舌状片９ａが折り曲げ部４ａの基部に設けられた切込み部１０ａに外側から差し込まれている。また、各シート片１ａ、１ｂの上側端辺縁の折り曲げ部５ａ、５ｂも、舌状片９ｂを設けた折り曲げ部５ｂを外側に重ねるように互いに内方へ折り曲げられ、舌状片９ｂが折り曲げ部５ａの基部に設けられた切込み部１０ｂに外側から差し込まれている。
【００２４】
前記各切込み部１０ａ、１０ｂに差し込まれた舌状片９ａ、９ｂは、折り目線２で内折りされて、物品収納空間Ａの一方の側壁を形成するシート片１ａの内面に沿わされるとともに、基部に形成されたくびれによって各切込み部１０ａ、１０ｂから抜け止めされている。したがって、物品収納空間Ａの上下両端部が、それぞれ２枚重ねとした折り曲げ部５ａ、５ｂおよび折り曲げ部４ａ、４ｂによって強固に閉塞され、収納される物品の抜け落ちが防止されるようになっている。
【００２５】
図７乃至図１２は、第２の実施形態を示す。図７は、包装容器に組み立てられるシート１を示す。このシート１は、基本的な構成は第１の実施形態のものと同じであり、シート片１ａの下側端の辺縁にも下方に延長した延長部６ａが設けられ、この延長部６ａに、折り目線２と切込み線７で区画された折り曲げ部４ａが設けられ、その基部の折り目線２からやや下方にずれた線状の切込み部１０ａが設けられていることと、シート片１ｂの下側端の折り曲げ部４ｂを区画する折り目線２と、その先端の舌状片９ａの基部に入れられた折り目線２が、後述するように、折り曲げ部４ｂを切取って包装容器を開口するために、ミシン目の切り取り線とされ、シート片１ｂに、その切り取り用の摘み片１１が設けられていることとが異なる。
【００２６】
前記シート片１ａの下側端の折り曲げ部４ａは、その外側に重ねて折り曲げられるシート片１ｂの下側端の折り曲げ部４ｂよりも縦横寸法が小さく形成され、折り曲げ部４ａが折り曲げられた跡の延長部６ａにも、吊り下げ用の孔８ａが形成されるようになっている。したがって、このシート１で組み立てられる包装容器は、孔８ａで逆さ吊りにすることもできる。
【００２７】
図８は、上述したシート１で組み立てた包装容器を示す。図９（ａ）、（ｂ）は、それぞれこの包装容器の正面図と背面図、図１０（ａ）、（ｂ）は、それぞれ左右からの側面図、図１１（ａ）、（ｂ）は、それぞれ平面図と底面図である。この包装容器の組み立て方は第１の実施形態のものと同じである。
【００２８】
図１２（ａ）、（ｂ）は、上述した包装容器に収納された物品を取り出すために、物品収納空間Ａの下端部を開口する手順を示す。まず、図１２（ａ）に示すように、前記摘み片１１を引っ張り、物品収納空間Ａの下端を閉塞するシート片１ｂの折り曲げ部４ｂをミシン目とした基部の折り目線２に沿って切り取る。このとき、切込み部１０ａに差し込まれた折り曲げ部４ｂの舌状片９ａも、その基部のミシン目とした折り目線２で、切込み部１０ａに差し込まれたまま切り取られる。こののち、図１２（ｂ）に示すように、切り取られた折り曲げ部４ｂの内側で折り曲げられていたシート片１ａの折り曲げ部４ａを外側に折り返すことにより、物品収納空間Ａの下端部が開口される。
【００２９】
上述した各実施形態では、各シート片を外側へ凸に湾曲させて、物品収納空間の断面形状を紡錘形としたが、各シート片を外側へ凸に屈曲させて、物品収納空間の断面形状を多角形とすることもできる。
【００３０】
また、上述した各実施形態では、折り曲げ部を中に形成された延長部が、折り曲げ部の先で連なるものとしたが、折り曲げ部の両側で延長される延長部は、必ずしも折り曲げ部の先で連なるものでなくてもよい。
【図面の簡単な説明】
【００３１】
【図１】第１の実施形態の包装容器を組み立てるシートを示す平面図
【図２】図１のシートから組み立てた包装容器を示す外観斜視図
【図３】ａ、ｂは、それぞれ図２の包装容器の正面図と背面図
【図４】ａ、ｂは、それぞれ図２の包装容器の左右からの側面図
【図５】ａ、ｂは、それぞれ図２の包装容器の平面図と底面図
【図６】図２の包装容器の下端部と上端部を拡大して示す断面図
【図７】第２の実施形態の包装容器を組み立てるシートを示す平面図
【図８】図７のシートから組み立てた包装容器を示す外観斜視図
【図９】ａ、ｂは、それぞれ図８の包装容器の正面図と背面図
【図１０】ａ、ｂは、それぞれ図８の包装容器の左右からの側面図
【図１１】ａ、ｂは、それぞれ図８の包装容器の平面図と底面図
【図１２】ａ、ｂは、それぞれ図８の包装容器の下端部を開口する手順を示す斜視図
【符号の説明】
【００３２】
１  シート
１ａ、１ｂ  シート片
２  折り目線
３  結合代
４ａ、４ｂ、５ａ、５ｂ  折り曲げ部
６、６ａ  延長部
７  切込み線
８、８ａ  孔
９ａ、９ｂ  舌状片
１０ａ、１０ｂ  切込み部
１１  摘み片
【図１】
2006193201.tif 000003
【図２】
2006193201.tif 000004
【図３】
2006193201.tif 000005
【図４】
2006193201.tif 000006
【図５】
2006193201.tif 000007
【図６】
2006193201.tif 000008
【図７】
2006193201.tif 000009
【図８】
2006193201.tif 000010
【図９】
2006193201.tif 000011
【図１０】
2006193201.tif 000012
【図１１】
2006193201.tif 000013
【図１２】
2006193201.tif 000014